(57)【要約】  若年者の近視進行を遅らせるまたは近視を実質的に防止するように構成される眼鏡であって、遠方視用レンズ部、近方視用レンズ部を有する処方されたレンズ、ならびに近方視若年者モードおよび遠方視モードを備えて構成される透明性可変素子を有する眼鏡。近方視モードでは、処方された遠方視用レンズ部は、実質的に不透明または非透明であり、近方視用レンズ部は、実質的にクリアまたは透明である。遠方視モードでは、遠方視用レンズ部および近方視用レンズ部は両方とも、実質的にクリアまたは透明である。透明性可変素子の状態（クリアが不透明か）は、フレームに組み込まれた電子機器によって駆動される。組み込まれたソフトウェアが、眼鏡の前の物体までの距離の測定値を分析することによって近方視モードか遠方視モードかを判断し、この分析は、フレームに組み込まれた接近検出器が行う。 【選択図】  図４
2013541730.tif 000002
【特許請求の範囲】
【請求項１】
近視進行を遅らせるまたは近視を実質的に防止するように構成される眼鏡であって：
処方された遠方視用レンズ部、
近視進行を遅らせるまたは近視を実質的に防止するように処方された近方視用レンズ部、
処方された遠方視用レンズ部の少なくとも一部が実質的にブロックされ、遮断され、不透明または非透明であり、近方視用レンズ部の少なくとも一部が実質的にクリアまたは透明な状態でユーザが近方視するモードで構成され、遠方視用レンズ部の少なくとも一部が実質的にクリアまたは透明な状態でユーザが遠方視するモードで構成される、透明性可変システム
を備える眼鏡。
【請求項２】
前記ユーザは、１８歳未満の若年者である、請求項１に記載の眼鏡。
【請求項３】
前記透明性可変システムは、内レンズと外レンズとの間に挟まれた透明性可変素子を備える、請求項１または２に記載の眼鏡。
【請求項４】
前記透明性可変素子は、１つ以上の液晶セルを備える、請求項３に記載の眼鏡。
【請求項５】
前記透明性可変システムは、コントローラからの信号に応じて不透明性を変更するように構成されるコーティングを、少なくとも１つのレンズ表面に備える、請求項１または２に記載の眼鏡。
【請求項６】
前記透明性可変システムは、近方視モードの間、処方された遠方視レンズ部を実質的にブロックし、遮断し、不透明にするまたは非透明にするように構成され、遠方視モードの間、処方された遠方視レンズ部を実質的にクリアにするまたは透明にするように構成される映像プロジェクタを備える、請求項１または２に記載の眼鏡。
【請求項７】
前記内レンズは、特定ユーザに対して処方されたレンズであり、前記外レンズは、所定の屈折力を有するレンズである、請求項３または４に記載の眼鏡。
【請求項８】
前記内レンズは、ジオプタがマイナスのレンズであり、前記外レンズは、ジオプタがプラスのレンズである、請求項３、４または７のうちいずれか一項に記載の眼鏡。
【請求項９】
前記外レンズは、前記透明性可変素子のエッジと実質的に境界を共有する傾斜エッジを有し、前記内レンズは、前記透明性可変素子の前記エッジから実質的に離れた傾斜エッジを有する、請求項８に記載の眼鏡。
【請求項１０】
前記内レンズの傾斜エッジおよび前記エッジの外側の傾斜エッジを収容するノッチを有するフレームであって、前記ノッチの外側の周囲は、内側の大きい方の周囲よりも小さく、前記内側の大きい方の周囲は、前記外レンズ、前記透明性可変素子および前記内レンズを前記内側から配設できるように構成される、フレームをさらに備える、請求項９に記載の眼鏡。
【請求項１１】
柔らかいノーズパッドおよび柔らかい耳用部品を有するフレームをさらに備える、請求項１〜１０のうちいずれか一項に記載の眼鏡。
【請求項１２】
前記ユーザが近方視しているか遠方視しているかを判断し、これに応じて前記透明性可変素子に給電して前記近方視モードまたは前記遠方視モードにするためのコントローラをさらに備える、請求項１〜１１のうちいずれか一項に記載の眼鏡。
【請求項１３】
前記コントローラは、前記ユーザが遠方視していると判断してから実質的に直後に前記遠方視モードを作動させ、前記ユーザが所定時間よりも長い時間にわたって近方視していると判断した後に前記近方視モードを作動させるように構成される、請求項１２に記載の眼鏡。
【請求項１４】
前記コントローラは、距離検出器を備えて、前記眼鏡と該眼鏡の前にある最も重要な物体との間の前記距離を測定する、請求項１２または１３に記載の眼鏡。
【請求項１５】
前記距離検出器は、送信器および受信器を備える、請求項１４に記載の眼鏡。
【請求項１６】
前記距離検出器は、超音波圧電トランスデューサである、請求項１４または１５に記載の眼鏡。
【請求項１７】
前記距離検出器は、赤外線検出トランスデューサである、請求項１４または１５に記載の眼鏡。
【請求項１８】
前記遠方視レンズ部の部分は、前記近方視状態では部分的にのみ不透明である、請求項１〜１７のうちいずれか一項に記載の眼鏡。
【請求項１９】
前記コントローラに給電するための充電式電池をさらに備える、請求項１２〜１７のうちいずれか一項に記載の眼鏡。
【請求項２０】
前記充電式電池に外部電源を接続するように構成される水封式ＵＳＢマイクロポートをさらに備える、請求項１９に記載の眼鏡。
【請求項２１】
前記充電式電池に接続された電磁誘導式充電器をさらに備え、前記電磁誘導式充電器は、外部電源からワイヤレス式にエネルギー転送して前記充電式電池を充電するように構成される、請求項１９に記載の眼鏡。
【請求項２２】
眼鏡動作データおよびコンプライアンスデータを送信し、かつ／または遠隔操作ユニットからの最新設定またはソフトウェアを受信するように構成される通信モジュールをさらに備える、請求項１〜２１のうちいずれか一項に記載の眼鏡。
【請求項２３】
前記ユーザが前記眼鏡を着用しているかどうかを判断し、前記眼鏡が着用されていなければ低電力モードに入るように構成される、請求項１〜２２のうちいずれか一項に記載の眼鏡。
【請求項２４】
前記眼鏡が長時間にわたって着用されていなければ、超低電力モードに入るように構成される、請求項１〜２３のうちいずれか一項に記載の眼鏡。
【請求項２５】
前記コントローラは、一方のアーム内部に設置され、前記電池は、もう一方のアーム内部に設置される、請求項２０に記載の眼鏡。
【請求項２６】
前記処方された遠方視用レンズ部および前記近方視用部は、単焦点レンズまたは累進多焦点レンズの部分である、請求項１〜２５のうちいずれか一項に記載の眼鏡。
【請求項２７】
中間視用レンズ部をさらに備え、前記透明性可変システムは、前記処方された遠方視用レンズ部の少なくとも一部が実質的に不透明または非透明であり、前記中間視用レンズ部の少なくとも一部、および前記近方視用レンズ部が実質的にクリアまたは透明であり、前記近方視モードでは、前記中間視用レンズ部の少なくとも一部および前記処方された遠方視用レンズ部が実質的に不透明または非透明であり、前記近方視用レンズ部の少なくとも一部は実質的にクリアまたは透明な状態で、前記ユーザが中間視するモードでさらに構成される、請求項１〜２６のうちいずれか一項に記載の眼鏡。
【請求項２８】
前記透明性可変システムは、電気配線を備え、前記ノッチは、前記配線を収容するように構成されるより深い溝内に配線管をさらに備える、請求項１０に記載の眼鏡。
【請求項２９】
前記フレームは、前記透明性可変素子用の一連の接点を、前記配線に電気的に接続し、取り外し可能なように圧着するように構成されるノーズブリッジをさらに備える、請求項２８に記載の眼鏡。
【請求項３０】
取り外し可能なノーズパッドを備え、該ノーズパッドは、前記ノーズブリッジによって取り外し可能なように圧着されるように構成される金属タブを有する、請求項２８に記載の眼鏡。
【請求項３１】
近視進行を遅らせるまたは近視を実質的に防止するように構成される眼鏡の製造方法であって：
外レンズをフレームに配設すること、
透明性可変素子を前記外レンズに隣接して配設すること、
内レンズを前記透明性可変素子に隣接して配設すること、および
前記透明性可変素子をコントローラに電気的に接続すること
を含む、方法。
【請求項３２】
方法であって：
ユーザの近視および乱視の度数を測定すること；
前記近視および乱視の度数に基づいて、屈折力を有する遠方視用レンズ部を提供すること、
前記近視の度数に基づいて、前記ユーザの近視進行を遅らせるまたは近視を実質的に防止するように設計された屈折力を有する近方視用レンズ部を提供すること、ならびに
前記遠方視用レンズ部および／または前記近方視用レンズ部に隣接して透明性可変素子を提供すること
を含む、方法。
【請求項３３】
前記ユーザが近視であるかどうかを判断することをさらに含む、請求項３２に記載の方法。
【請求項３４】
方法であって：
処方された遠方視用レンズ部および近方視用レンズ部を備える眼鏡を提供すること、
前記遠方視用レンズ部を使用して遠方の物体を見ること、ならびに
前記近方視用レンズ部を使用して近方の物体を見る際は、前記遠方視用レンズ部を遮断すること
を含む、方法。
【請求項３５】
レンズの製造方法であって：
レンズ部をブランクへ取り付けること、
前記レンズ部および前記ブランクのエッジを傾斜させること、ならびに
前記レンズ部から前記ブランクを取り除くこと
を含む、方法。
【請求項３６】
前記レンズは、別のレンズ部をさらに備え、前記レンズ部および前記別のレンズ部は、共に並列し、それによって前記レンズを形成する、請求項３５に記載の方法。
【発明の詳細な説明】
【技術分野】
【０００１】
本発明は、眼鏡に関し、特に、近視防止用の眼鏡または特に若年者に対して近視進行を全体的に遅らせる眼鏡に関するが、これに限らない。
【背景技術】
【０００２】
近視（近眼）とは、眼球が長すぎる、または角膜が傾斜しすぎて、図１に示すように、眼に入ってくる光が眼の後にある網膜ではなく眼の内部で焦点が合う状態である。その結果、近視の人は、近くの物体ははっきり見えるが遠くの物体はぼやけて見える。
【０００３】
アジアにおける近視罹患率は、西洋諸国よりも遙かに高い。近視は、シンガポール、香港、台湾および日本などのアジア先進社会において、子供の間で最も広まっている眼の障害である。この状態は中国で増加傾向にあるが、これは、教育制度に対する要求が他国よりも高まっているためである。近視の罹患率および深刻さは、ここ２０数年にわたって世界的に増大している。統計および医学的証拠により、近視は６歳から１５歳までに著しく進行することがわかっている。
【０００４】
アジアでは、小学生の近視進行率が世界で最も高い。７〜８歳の子供では、近視は１年に１Ｄ（１００度）超の割合で進行している。近視は、７歳児の２５％、１２歳児の６６％、１８歳児の８０％が罹患している。このような子供が大人になるまでに、彼らの近視は−８Ｄ以上になる可能性がある。子供は、１年に１回さらには半年に１回の頻度でより強いレンズを必要とする。
【０００５】
近視は、アジアでは社会的に懸念される健康問題になっている。極度の近視は、美観の問題だけではなく、健康問題でもある。なぜなら、さらに年齢を重ねると、取り返しの付かない失明のリスクが著しく増加するからである。黄斑変性症、緑内障、網膜剥離および白内障の手術後に起こる網膜障害などの様々な眼の病状は、罹患率が遙かに高い。
【０００６】
子供の近視を矯正するのによく行われる伝統的な慣習は、像焦点を網膜の方へ後方にシフトさせて視覚を明瞭にする凹レンズを備えた眼鏡を処方することである。眼鏡は、近視の発症および進行を防止するわけではない。眼鏡は、眼の光学的機能不全を光学的に矯正するだけのものであり、これによって子供は、光学的機能不全があるにもかかわらず、はっきりと見える。
【０００７】
近視はなぜ発症するのか、またどうすれば近視進行を停止できるのだろうか。科学的には、近視発症の原因は完全には解明されていないが、研究により、近視進行は遺伝要因と環境要因とが重なることによって引き起こされることがわかっている。近視は、片親が近視である場合に一段と起こりやすく、両親ともに近視である場合はさらに一層起こりやすい。しかし、環境要因も同じく決定的なものである。主な環境要因は、読書および近方作業量が多いことである。研究により、長時間にわたって間近な箇所に集中する、読書する、およびコンピュータ画面の前に座ることが、近視進行と強い相関関係にあることがわかっている。
【０００８】
近視の子供は、通常、近視（遠方視視力の欠如）を矯正する眼鏡を処方される。読書など、近方の物体に集中しているとき、光は、眼に入って網膜を超えて焦点を結ぶ。光の焦点を網膜に戻すようにシフトさせるためには、眼の中の水晶体が形を変化させて集中力を眼に加えなければならない。このプロセスは、「調節」と呼ばれる。研究により、過度の調節と近視進行との間には高い相関関係があることがわかっている。
【０００９】
調節と近視進行との相関関係を説明する２つの主な理論がある：
ａ．近方作業に付随する調節が過剰に行われると、発育過程で眼に負担がかかる。この負担は、眼の増大が進むことで減少する可能性があり、これが近視になる。眼球の長さを測定したいくつかの研究により、眼球は調節プロセスの過程で長くなることがわかった。
ｂ．子供が近方作業を伴う活動に従事している際の調節が不十分であること（「調節遅延」）が、多くの子供で明らかになっている（何人かの子供が他の子供よりも多い）。調節遅延によって、遠視が生じて網膜上の焦点がずれ、遠視による焦点のずれが過剰になることで、眼を増大させる視覚調整メカニズムが作動して眼が長くなる可能性がある。
【００１０】
研究者は、調節と近視進行との間の強い相関関係に気づき、子供の日常生活における調節量を最小に抑えるための様々な方法を提供し、この手段を用いて近視進行を軽減する研究を実施した。調節をなくして近視進行を軽減する１つの方法が、図２に示すように、二重焦点レンズまたは累進多焦点レンズを使用する方法である。この案の背景にある原理は、眼鏡の下セグメントを使用して読書するというものである。上セグメントは、屈折異常に必要な矯正を施して遠方の像の焦点を網膜上で合わせるのに対し、下セグメントは、近方の物体に焦点を合わせるように設計されている（距離補正した状態から＋２Ｄ〜＋３Ｄ）。この場合、読書するまたは眼の近方の作業をする際に、眼の調節は必要ない。調節遅延も生じないため、遠視による焦点のズレも眼が長くなることも予想されない。
【００１１】
二重焦点レンズまたは多焦点レンズは、調節範囲が縮小する問題を抱える大人に対して遠方視と近方視の両方の屈折を矯正するのに効果的である。この場合、この人は、調節能力がないために読書には下セグメントを使用せざるを得ず、上領域を介して読むと像がぼやけてしまう。
【００１２】
しかしながら、子供の調節能力は強いため、近方の作業をするのに子供が実際にレンズの下部分を使用するという保証はない。標準の二重焦点レンズまたは多焦点レンズを使用している間、読書中は調節し直し、視線を移してレンズの下部分を使用するよう子供に強制するのは無意味である。
【００１３】
累進多焦点レンズの使用について調査している研究がいくつかある。累進多焦点レンズを使用する米国の多施設共同無作為化比較試験である近視進行矯正試験（Ｃｏｒｒｅｃｔｉｏｎ  ｏｆ  Ｍｙｏｐｉａ  Ｐｒｏｇｒｅｓｓｉｏｎ  Ｔｒｉａｌ、ＣＯＭＥＴ）により、累進多焦点レンズが近視進行を緩やかにするという、わずかだが統計的に有意な効果が報告されている。日本で子供を対象に累進多焦点レンズを使用して行われたさらに別の無作為化比較試験により、累進多焦点レンズには近視進行を緩やかにする同様の前向きな効果があることがわかった。
【００１４】
しかしながら、近視進行を遅らせるこれらの研究で報告された効果は、実際にはそれほど多くはない。約２５％の減退がみられるだけである。効果が限られている主な理由は、累進多焦点レンズを使用する子供が、読書をするのに切り替えを行わず、レンズの特定領域（下領域）を使用しない傾向にあるためであろう。子供の調節能力は強い可能性があるため、子供はレンズの上（遠方用）セグメントを使用し、調節を行って、同じように上手に読むことができる。読書の際は、常に上部分を使用して調節を適用する方が、頭を傾けて下を見るよりも遙かに快適で直感的である。
【００１５】
最初のうち子供は、協力してレンズの読書用領域を使用しようとするかもしれないが、時間がたつにつれて、老眼である大人とは異なり、近方作業中にぼやけることがないためにレンズの上部分を使用するのは実際には必要ないことであることを知るため、子供に対して自分から無理に下を見ることを期待するのは困難であり、これは直感にそぐわず不便なことである。そのため、子供は読書用領域の使用を止めて、単純に上・遠方用領域を使用し、調節を続けている可能性がある。
【００１６】
二重焦点レンズまたは多焦点レンズは、調節の必要性を著しく低減できるものであり、それによって近視進行を緩やかにする可能性を秘めているが、子供がこのような眼鏡を実際に使用する方法では効果が限られ、その結果、近視進行に対してはほとんど効果がない。
【００１７】
近視の子供を対象とするその他の二重焦点または多焦点に関する臨床試験からも、この理由により同様の限られた一貫性のない効果がみられた。
【発明の概要】
【課題を解決するための手段】
【００１８】
全般的に、本発明は、近視を（矯正ではなく）治療するために処方される眼鏡を提供する。本発明は、近視加入度数が＋２Ｄから＋３Ｄである１対の二重焦点レンズまたは多焦点レンズを使用した眼鏡であって、遠方視にはレンズの上部分を使用し、近方視には（レンズの上部分を使用して調節するのではなく）レンズの下部分を使用するよう子供に仕向けて促すメカニズムで構成される眼鏡を提供する。
【００１９】
これには、子供に対する近視の治療がより有効であるという利点がある。
【００２０】
本発明の特定の表現において、請求項１に記載の眼鏡および／または請求項３１、３２および３４に記載の方法が提供される。本発明のもう１つの特定の表現において、請求項３５に記載のレンズに傾斜エッジを形成する方法が提供される。実施形態は、請求項２から３０、３３および３６のうちいずれかに従って実施されることができる。
【図面の簡単な説明】
【００２１】
次に、本発明の１つ以上の例示的実施形態について、以下の図面を参照して説明する。
【００２２】
【図１】近視の眼の光線図である。
【図２】先行技術の二重焦点レンズの正面図である。
【図３ａ】遠方視構成の例示的実施形態による眼鏡の正面図である。
【図３ｂ】近方視構成の例示的実施形態による眼鏡の正面図である。
【図４】別の例示的実施形態の斜視図である。
【図５ａ】図４のＬＣシャッタの概略図である。
【図５ｂ】図４のＬＣシャッタおよびレンズの分解図である。
【図６】図４の接近センサの概略図である。
【図７】図４の眼鏡の配線図である。
【図８】図４の電子部品のブロック図である。
【図９】例示的実施形態による眼鏡の製造方法のフローチャートである。
【図１０ａ】配設前の先行技術のレンズおよびフレームの側面図である。
【図１０ｂ】配設後の先行技術のレンズおよびフレームの側面図である。
【図１１】２部レンズの側面図である。
【図１２】レンズのエッジの拡大図である。
【図１３】フレームの溝の拡大図である。
【図１４】フロントレンズを挿入する様子を示す側面図である。
【図１５】バックレンズを挿入する様子を示す側面図である。
【図１６】フレームの断面図であり、配線管を示す図である。
【図１７】フレームの概略図であり、ノーズパッドアセンブリを示す図である。
【図１８】図１７のノーズパッドアセンブリの試作品の写真である。
【図１９】図１７のノーズパッドアセンブリの試作品の写真である。
【図２０】ノーズブリッジ用インサートの概略図である。
【図２１】映像投影システムの写真である。
【図２２Ａ】通常のレンズの対称な三角形のエッジを示す概略図である。
【図２２Ｂ】図２２Ａの対称な三角形のエッジになるように、ブランクに取り付けた「スプリット」レンズの概略図である。
【発明を実施するための形態】
【００２３】
図３は、例示的実施形態により、累進多焦点レンズまたは二重焦点レンズを使用して子供の近視進行を治療するまたは遅らせる眼鏡３００を示す。レンズには、読書中は子供にレンズの下セグメント３０２を使用させるメカニズムを用いる。これによって、間近の物体を見るために調節を長くする（または調節を最小に抑える）ことがなくなり、それによって子供に対する近視進行を大幅に低減するまたは完全に防止することが期待される。
【００２４】
眼鏡用の光学レンズ（二重焦点レンズまたは累進多焦点レンズ）には、特殊な透明性制御液晶フィルム（Ｔｒａｎｓｐａｒｅｎｃｙ  Ｃｏｎｔｒｏｌｌｅｄ  Ｃｒｙｓｔａｌ  ｆｉｌｍ、ＴＣＬＣ）３０４を搭載する。フィルム３０４は、完全に透明な状態から「乳白色」状態、艶消し状態、不透明状態に変化することができる。
【００２５】
ＴＣＬＣ３０４の透明性は、電子的に制御される。子供が読書する間、レンズの上セグメント３０６は自動的に不透明になる。これによって子供は、読書用に処方された屈折力のあるレンズの下セグメントのみを使用せざるを得ず、調節を適用する必要がなくなる。遠方の物体を見るとき、ＴＣＬＣ３０４は完全に透明になり、眼は自然に上セグメント３０６の遠方用屈折セグメントを使用する。不透明部は、上セグメント３０６の一部のみとすることができ、一部のみを不透明にする、あるいは下セグメント３０２を介して見るように促すその他の部分的なものにすることができる。
【００２６】
図４に示すように、眼鏡フレームには電子機器が組み込まれている。この電子機器は、ソフトウェア４００でプログラムしたマイクロコントローラ、ＴＣＬＣフィルム電圧分配器、接近センサ４０２を備える。回路電力は、複数の薄型ポリマーリチウム充電式電池４０４で供給される。電池４０４は、工業規格のマイクロＵＳＢコネクタ４０６を備えた壁の電源アダプタを使用する直接接続によって充電される。このようにする代わりに、電池４０４は、誘導性充電を使用する無線のエネルギー移送によって充電されてもよい。
【００２７】
自動式作動
本眼鏡は、眼鏡を着用すると自動的に作動する。これは、眼鏡のノーズパッド４１０に配設されたタッチセンサまたは体感センサ４０８を介して行われる。眼鏡が長時間にわたって着用されない場合に作動する超低消費用のスリープ機能があってもよい。タッチセンサまたは体感センサ４０８は、静電容量を測定でき、この静電容量は、接点がヒトの肌と接触しているかどうかによって著しく変化する。このセンサは、単一または複数の接触パッドを備えることができる。
【００２８】
フレーム
眼鏡フレームは、Ｇｒｉｌａｍｉｄ  ＴＲ９０ＬＸ材料などのナイロンベースの材料とすることができる。ノーズパッド４１０は、肌との接触に生体適合性のある、導電性で柔らかいポリマーまたはシリコンとすることができる。このようにする代わりに、ノーズパッド４１０は、肌との接触に生体適合性のある任意の材料であってもよい。耳にかかるテンプルのエッジ４１２は、長時間にわたる肌との接触にも生体適合性があり調整性のある、柔らかいポリマーまたはシリコンとすることができる。ノーズブリッジのシリコンおよびテンプル／耳の部品によって、眼鏡が余分に重いことが原因で眼鏡が子供の鼻を滑り落ちるのを回避できる。アームは、固定されて折り畳み式ではないようにすることができる。
【００２９】
ＴＣＬＣ
ＴＣＬＣ３０４は、厚さ０．１−０．３ｍｍであり、２０−３６Ｖの矩形波で駆動されることができる。それぞれの眼に対し、別々に動作する２つのアクティブセル５０２、５０４がある。任意に、この代わりに、片眼ごとに３つのアクティブセルがあってもよく、この場合レンズは、３つの異なる領域に分割される。さらに別の選択肢として、レンズの上セグメント３０４を覆う単一のＴＣＬＣセルがあってもよい。ＬＣフィルムの各セルは、導電性タブ５１０を備える２つの光学レンズ５０６と５０８との間に配設され、この導電性タブは、図５ａおよび図５ｂに示すように、フレーム内にあるスロットの中に挿入されたセル作動用の導電線を有する。このようにタブは、（眼鏡技師による）ＬＣシャッタの「現場」組立および電子ボードへの電気接続を可能にする高速組立機構（Ｑｕｉｃｋ  Ａｓｓｅｍｂｌｙ  Ｍｅｃｈａｎｉｓｍ、ＱＡＭ）になっている。レンズ交換のための分解も、眼鏡技師が容易に行う。ＴＣＬＣ３０４は、光学レンズ５０６と５０８との間に平らに挟んでよい。
【００３０】
ＴＣＬＣ３０４は、電力がないときは不透明、給電されたときはクリア、またはこの逆であってもよい。不透明性のレベルは、安全機能として部分的に不透明にする場合にかぎり選択されてよい。
【００３１】
マイクロコントローラ
図８に示すように、マイクロコントローラ４００およびサポート回路は、回路に溶接された接近センサ４０２を備えた主要ＰＣＢボード８００に設置される。電池４０４は、小型ＰＣＢ８０８に接続される。ＴＣＬＣパッド５１０は、主要ＰＣＢ８００および小型ＰＣＢ８０８に備えられる。左アームから右アームへの相互接続配線１６００およびノーズパッド４１０は、図７に示すようにフレームを介して備えられる。
【００３２】
マイクロコントローラ４００は、低電力、小設置面積、フレッシュメモリを備えた低コストＣＰＵであり、かつ無線通信の選択肢を備えている。昇圧回路が出力電圧を供給してＬＣ２０−３６Ｖの矩形波（振幅）を駆動する。
【００３３】
管理ソフトウェア
遠隔コンピュータは、無線によるものまたはＣＰＵ４００に接続されたマイクロＵＳＢポート４０６を介したものとすることができ、管理ソフトウェアを備えている。これによって、「着用時間」、「読書時間」および臨床評価用の追加情報などのデータの報告が可能なようにできる。自動式作動などのパラメータを設定可能なようにしてもよい。
【００３４】
読書状態の検出
この検出器４０２は、子供が読書またはその他の近方作業をしているときを識別し、上のレンズ（遠方用領域）を自動的に不透明する。再度遠方を見ている間、検出器４０２は、新たな状態を識別し、レンズの上部分をクリアにする。
【００３５】
図６に示すように、検出器４０２は、超音波圧電センサ６００、矩形波（振幅）に駆動される送信器および受信器とすることができ、あるいは赤外線検出器としてもよい。一方に送信器、もう一方に受信器があってもよいが、ＴｘとＲｘを中央で組み合わせたトランスデューサも可能である。センサ６００は、小型でなければならず、例えば完全に閉鎖した金属の場合は直径９ｍｍ以下、長さ５ｍｍ以下である必要がある。
【００３６】
センサの一例が、日本のＭｕｒａｔａ（登録商標）が生産した直径９ｍｍ、長さ５ｍｍのオープンケースセンサである。このセンサは、周波数４０Ｋｈｚ、５−１０Ｖで動作し、分解能が１ｃｍである。
【００３７】
検出器４０２は、状態の判断を誤る状況を低減できる決定アルゴリズムを実装している。読書状態への切り替えは瞬時に行われるのではなく、わずかに遅れて行われる。そのため、ごく短時間の一瞥であれば漏れることがあり、（調節が長く行われる）安定した読書状況のみが上シャッタを作動させる。目的は、子供にとって現実的なものにして「誤作動」をなくすことである。このほか、この検出器によって、子供は正常な調節を行うことができるようになる。
【００３８】
電池
電池４０４は、充電式のポリマーリチウム電池３．７Ｖ〜８０−１１０ｍＡｈとすることができる。
【００３９】
マイクロＵＳＢコネクタ
電池は、ＣＰＵ内の充電モジュールを介して充電されてよい。充電モジュールは、外部の５ＶのＡＣ−ＤＣスイッチング電源がＵＳＢマイクロ充電ポート４０６に接続されると作動する。このポートは、防水・防塵のＩＰ５５である。このようにする代わりに、外付けもしくはフレームの一部または誘導性充電メカニズムの形でソーラー式充電器を備えてもよい。
【００４０】
レンズの生産
フロントレンズ５０６は、固定された処方のレンズである。近視加入度が＋２．０Ｄ〜＋２．５Ｄの二重焦点レンズまたは多焦点レンズのいずれでもよい。フロントレンズ５０６は、使用者の個人処方箋を参照せずに固定されてよい。バックレンズ５０８は、個々の子供の近視および乱視を矯正するために子供用に個別に処方されたものとすることができる。
【００４１】
その利点はコストであろう。二重焦点レンズまたは多焦点レンズであればさらに高価になるおそれがある。同じレンズを大量に注文することでコストが下がるかもしれない。バックレンズ５０８は単焦点レンズであるため、個別に処方箋に合わせる方が安価になる可能性がある。
【００４２】
図１１に示す２部レンズ構成では、フロントレンズ５０６および／またはバックレンズ５０８のサイドが実質的に平坦な「スプリット」レンズであり、レンズのエッジは、通常のレンズ生産機を使用して機械加工しなくてよい。これは、通常のレンズ生産機を使用する場合は、対称な三角形のエッジを有する正規レンズに対してエッジの傾斜が施されるためである。図２２Ａは、対称な三角形のエッジを有する正規レンズを示す。エッジを傾斜させる前のこのようなレンズは、正規の標準寸法のエッジプロファイルも有する。
【００４３】
「スプリット」レンズ（フロントレンズ５０６またはバックレンズ５０８であってよい）は、実質的に平坦なサイドを有するため、エッジプロファイルが対称ではないことがある。また、それぞれの「スプリット」レンズは、標準寸法ではないエッジを有することがある（正規レンズを「分割したもの」であるため）。
【００４４】
エッジが対称ではなく、エッジが標準寸法ではない点は、それぞれの「スプリット」レンズの実質的に平坦なサイドにブランクを取り付けることで補うことができる。これを図２２Ｂに示しており、この図では、接着剤２２０６を使用して「スプリット」レンズ２２０２をブランク２２０４に取り付けている。次に、レンズとブランクとを合わせたものを完全なレンズであるかのように機械加工する。「スプリット」レンズは、薄い両面テープを接着剤２２０６として使用して、取り外し可能なようにブランクに取り付けられてもよい。使用するブランクは、丸形でも四角形でもよい。
【００４５】
フレームの生産
図９に示すように、フレーム（光学レンズおよびＬＣフィルムを除く）は、生産施設で組み立てられる。プラスチック部分は、プラスチック射出成形法を用いて作製される。その後、電子回路、センサおよび配線が配設される。内部部品の電子ボードおよびその他の部分はすべて、交換不可能なものである。
【００４６】
図７に示す左アームと右アームとの間の相互接続配線１６００およびノーズパッド４１０は、図１６に示すようにフレーム１６０２を介して備えられてよい。フレーム１６０２は一般に、レンズ１６０４を着座させるための溝１６０６を備えている。配線１６００を隠すため、溝１６０６の中に延長部分を作って配線管１６０８を形成する。相互接続配線１６００は、製造過程で樹脂または接着剤で封入することにより恒久的に配線管１６０８内に配設される。このようにする代わりに、配線管を柔軟な回路の中に作製してもよい。このような配線管を標準のフレーム内に配設して、改良できるようにしてもよい。
【００４７】
組立方法
フレームは、上記のように製造され、（近視治療の処方箋に応じた）レンズ５０６、５０８およびＬＣフィルム３０４は、許可を得た主要研究所または資格を有する眼鏡技師によって組み立てられる。
【００４８】
標準の光学レンズは、様々な手段によって眼鏡に保持される。図１０に示すように、最も一般的な手段は、眼鏡フレームに三角形の溝を設ける方法である（標準寸法は、およそ底辺２．２ｍｍ高さ０．６ｍｍ）。レンズの形状は、切削機で周囲を切削された形であり、この機械でフレーム形状に適合するようにレンズを切削し、レンズの周に沿って突起部を残し、プラスチック製またはガラス製のレンズを正確にフレームに適合させる。
【００４９】
レンズは、加熱によりフレームを緩ませるか（プラスチック製フレームの場合）、またはフレームの２箇所を一緒に締める小さいネジを抜くことによってフレームを緩めるかのいずれかの方法で、フレームの中に挿入される。
【００５０】
このようにする代わりに、図１２から図１５に示すように、フロントレンズ５０６は、バックレンズ５０８よりも小さく、エッジ１３００がテーパ状になっており、これによってフロントレンズを後ろから挿入することができる。配設し終わると、フロントレンズ５０６は一時的にその場に保持され、ＴＣＬＣ３０４が挿入される。次に、フレーム内の溝１３０２に角度があることによって、これよりも大きいバックレンズ５０８を後ろから所定位置にスライドさせて、３つの要素すべてを所定位置の中に固定することができる。これはつまり、スプリットレンズは、眼鏡技師が容易に配設でき、余計な応力を加えることなく所定位置に固定できるということである。
【００５１】
図１１に示すように、例示的実施形態によるレンズは、２つのレンズに分割されている。屈折力は、２つのレンズの和である。例えばフロントレンズ５０６が＋４であり、後ろのレンズ５０８がマイナス２．５であれば、正味の屈折力は１．５ジオプタである。ＴＣＬＣフィルム３０４は、極めて薄い（約０．２ｍｍ）ため、像質には影響しない。
【００５２】
ノーズブリッジ構造
図８に示すＱＡＭ（高速組立機構）は、図１８および図１９に示すように、この代わりになるノーズブリッジ構造１８００に代替されてよい。この場合、ＬＣフィルム３０４は、依然として２つの光学レンズ５０６と５０８の間に位置している。しかしその代わりに、導電性タブ５１０は、ノーズパッド４１０近傍のスロット１８０２の中に挿入される。中央に位置する片側または両側のＰＣＢ１８０４は、その上面に導電性パッドを有して接点１８１４を形成する。ＰＣＢ１８０４の厚みは、０．５ｍｍとすることができる。導電性タブ５１０は、導電性タブ５１０の接点１８１２がＰＣＢパッドの接点１８１４と接触するように位置決めされる。次に、カバー１８０６が導電性タブ５１０およびＰＣＢ１８０４の上にネジ１８０８で取り付けられ、このタブが所定位置に固定される。
【００５３】
このようにすると、専門家の電子技術を必要とすることなく、検眼士が店舗でレンズおよび液晶フィルムを配設し、電子的に接続して所定位置に固定することができる。
【００５４】
図２０に示すノーズパッド４１０は、単一体でも分割体でもよく、ノーズブリッジ構造１８００の中に挿入されてカバー１８０６によって所定位置に圧着される金属タブ２０００を備えてもよい。これによって、個々の着用者に合った様々なサイズのノーズパッドを配設することが可能になる。金属タブ２０００は、平坦でも丸形でもよく、ノーズパッド４１０の挿入／交換ができる０．２〜０．４ｍｍの厚みにすることができる。体感用の接触部４０８は、ノーズパッド４１０内に封入されて、金属タブ２０００と接触してもよい。すると、金属タブ２０００は、ノーズブリッジカバー１８０６の内部にある縞模様部１８１０を利用する圧力タッチを介して、ＰＣＢ１８０４に電気的に接触することができる。
【００５５】
相互接続配線１６００も、ＰＣＢ１８０４および／またはノーズパッド４１０に電気的に接触することができる。上記のように、ＬＣフィルム３０４に対する配線は、体感センサ４０８から離す必要がある。例えばＬＣフィルム３０４の配線は、上方の溝に沿わせ、体感センサ４０８は下方の溝に沿わせることができる。
【００５６】
映像投影
ＴＣＬＣ３０４は、このほか、レンズの上セグメント３０６に映像を投影することにより実現できる。映像投影は、単純にレンズの上セグメント３０６を艶消しにするものであってもよい。このような映像投影の一例を図２１に示す。ＴＣＬＣ３０４は、光誘導光学素子（ｌｉｇｈｔ−ｇｕｉｄｅ  Ｏｐｔｉｃａｌ  Ｅｌｅｍｅｎｔ、ＬＯＥ）２１００に代替されてよい。ＬＯＥ２１００は、眼前に小型のシースルー素子を埋め込んだ超薄型レンズの設計であってよい。小型プロジェクタ２１０２は、眼鏡のテンプル２１０４内に埋め込まれて、ＬＯＥ２１００のサイドの中に艶消しを投影する。像は、ＬＯＥ２１００の中央２１０６に移動するため、シースルー素子を介して眼の中に反射される。この場合、像は、単純に上方セグメント内でホワイトノイズになり、これによって上セグメント３０６を効果的に遮断して下セグメント３０２の使用を強制する。
【００５７】
さらに別の代替例では、ＴＣＬＣ３０４は、単一の二重焦点レンズの前面または背面に接着した薄型のフィルムコーティングとすることができる。
【００５８】
本発明の例示的実施形態を詳細に説明してきたが、特許請求の範囲に記載した本発明の範囲内であれば多くの変形例が可能であり、これは当業者の読者には明らかであろう。例えば、本明細書に記載の子供は、１８歳未満の若年者であってもよい。
【符号の説明】
【００５９】
３００    眼鏡
３０２    レンズの下セグメント
３０４    透明性制御液晶フィルム（ＴＣＬＣ）
３０６    レンズの上セグメント
４００    ソフトウェアでプログラムしたＣＰＵ
４０２    接近センサ
４０４    リチウム充電式電池
４０６    マイクロＵＳＢコネクタ
４０８    タッチセンサまたは体感センサ
４１０    ノーズパッド
４１２    テンプルエッジ
５０２／５０４  アクティブセル
５０６／５０８  光学レンズ
５１０    透明性制御液晶（ＴＣＬＣ）タブ
６００    センサ
８００    主要ＰＣＢボード
８０８    小型ＰＣＢ
１６００    相互接続配線
１６０２    フレーム
１６０４    レンズ
１６０６    溝
１６０８    配線管
１８００    ノーズブリッジ構造
１８０２    ノーズパッド近傍のスロット
１８０４    ＰＣＢ
１８０６    カバー
１８０８    ネジ
１８１０    導電性ストリップ
１８１２／１８１４  接触部  
２０００    金属タブ
２１００    光学素子（ＬＯＥ）
２１０２    プロジェクタ
２１０４    テンプル
２１０６    ＬＯＥの中央  
２２０２    「スプリット」レンズ
２２０４    ブランク
２２０６    接着剤
【図５Ａ】
2013541730.tif 000003
【図５Ｂ】
2013541730.tif 000004
【図６】
2013541730.tif 000005
【図１０Ａ】
2013541730.tif 000006
【図１０Ｂ】
2013541730.tif 000007
【図１１】
2013541730.tif 000008
【図１２】
2013541730.tif 000009
【図１４】
2013541730.tif 000010
【図１５】
2013541730.tif 000011
【図１６】
2013541730.tif 000012
【図１７】
2013541730.tif 000013
【図１８】
2013541730.tif 000014
【図１９】
2013541730.tif 000015
【図２０】
2013541730.tif 000016
【図２１】
2013541730.tif 000017
【図２２Ａ】
2013541730.tif 000018
【図２２Ｂ】
2013541730.tif 000019
【図１】
2013541730.tif 000020
【図２】
2013541730.tif 000021
【図３Ａ】
2013541730.tif 000022
【図３Ｂ】
2013541730.tif 000023
【図４】
2013541730.tif 000024
【図７】
2013541730.tif 000025
【図８】
2013541730.tif 000026
【図９】
2013541730.tif 000027
【図１３】
2013541730.tif 000028
【手続補正書】
【提出日】平成24年7月6日(2012.7.6)
【手続補正１】
【補正対象書類名】特許請求の範囲
【補正対象項目名】全文
【補正方法】変更
【補正の内容】
【特許請求の範囲】
【請求項１】
近視進行を遅らせるまたは近視を実質的に防止するように構成される眼鏡であって：
処方された遠方視用レンズ部、
１８歳未満の若年者であるユーザの近視進行を使用中に遅らせるまたは近視を実質的に防止するように処方された近方視用レンズ部、
処方された遠方視用レンズ部の少なくとも一部が実質的にブロックされ、遮断され、不透明または非透明であり、近方視用レンズ部の少なくとも一部が実質的にクリアまたは透明な状態でユーザが近方視するモードで構成され、遠方視用レンズ部の少なくとも一部が実質的にクリアまたは透明な状態で前記ユーザが遠方視するモードで構成される、透明性可変システム
を備え、
使用中、前記透明性可変システムは、近方視用モード中に１８歳未満の若年者が近方視している間に近方視用レンズ部を介して焦点を合わせるよう実質的に強制し、これによって近視進行を遅らせるまたは近視を実質的に防止するように構成される、
眼鏡。
【請求項２】
前記透明性可変システムは、内レンズと外レンズとの間に挟まれた透明性可変素子を備える、請求項１に記載の眼鏡。
【請求項３】
前記透明性可変素子は、１つ以上の液晶セルを備える、請求項２に記載の眼鏡。
【請求項４】
前記透明性可変システムは、コントローラからの信号に応じて不透明性を変更するように構成されるコーティングを、少なくとも１つのレンズ表面に備える、請求項１に記載の眼鏡。
【請求項５】
前記透明性可変システムは、近方視モードの間、処方された遠方視レンズ部を実質的にブロックし、遮断し、不透明にするまたは非透明にするように構成され、遠方視モードの間、処方された遠方視レンズ部を実質的にクリアにするまたは透明にするように構成される映像プロジェクタを備える、請求項１に記載の眼鏡。
【請求項６】
前記内レンズは、特定ユーザに対して処方されたレンズであり、前記外レンズは、所定の屈折力を有するレンズである、請求項２または３に記載の眼鏡。
【請求項７】
前記内レンズは、ジオプタがマイナスのレンズであり、前記外レンズは、ジオプタがプラスのレンズである、請求項２、３または６のうちいずれか一項に記載の眼鏡。
【請求項８】
前記外レンズは、前記透明性可変素子のエッジと実質的に境界を共有する傾斜エッジを有し、前記内レンズは、前記透明性可変素子の前記エッジから実質的に離れた傾斜エッジを有する、請求項７に記載の眼鏡。
【請求項９】
前記内レンズの傾斜エッジおよび前記外レンズの傾斜エッジを収容するノッチを有するフレームであって、前記ノッチの外側の周囲は、内側の大きい方の周囲よりも小さく、前記内側の大きい方の周囲は、前記外レンズ、前記透明性可変素子および前記内レンズを前記内側から配設できるように構成される、フレームをさらに備える、請求項８に記載の眼鏡。
【請求項１０】
柔らかいノーズパッドおよび柔らかい耳用部品を有するフレームをさらに備える、請求項１〜９のうちいずれか一項に記載の眼鏡。
【請求項１１】
前記ユーザが近方視しているか遠方視しているかを判断し、これに応じて前記透明性可変素子に給電して前記近方視モードまたは前記遠方視モードにするためのコントローラをさらに備える、請求項１〜１０のうちいずれか一項に記載の眼鏡。
【請求項１２】
前記コントローラは、前記ユーザが遠方視していると判断してから実質的に直後に前記遠方視モードを作動させ、前記ユーザが所定時間よりも長い時間にわたって近方視していると判断した後に前記近方視モードを作動させるように構成される、請求項１１に記載の眼鏡。
【請求項１３】
前記コントローラは、距離検出器を備えて、前記眼鏡と該眼鏡の前にある最も重要な物体との間の前記距離を測定する、請求項１１または１２に記載の眼鏡。
【請求項１４】
前記距離検出器は、送信器および受信器を備える、請求項１３に記載の眼鏡。
【請求項１５】
前記距離検出器は、超音波圧電トランスデューサである、請求項１３または１４に記載の眼鏡。
【請求項１６】
前記距離検出器は、赤外線検出トランスデューサである、請求項１３または１４に記載の眼鏡。
【請求項１７】
前記遠方視レンズ部の部分は、前記近方視状態では部分的にのみ不透明である、請求項１〜１６のうちいずれか一項に記載の眼鏡。
【請求項１８】
前記コントローラに給電するための充電式電池をさらに備える、請求項１１〜１６のうちいずれか一項に記載の眼鏡。
【請求項１９】
前記充電式電池に外部電源を接続するように構成される水封式ＵＳＢマイクロポートをさらに備える、請求項１８に記載の眼鏡。  
【請求項２０】
前記充電式電池に接続された電磁誘導式充電器をさらに備え、前記電磁誘導式充電器は、外部電源からワイヤレス式にエネルギー転送して前記充電式電池を充電するように構成される、請求項１８に記載の眼鏡。
【請求項２１】
眼鏡動作データおよびコンプライアンスデータを送信し、かつ／または遠隔操作ユニットからの最新設定またはソフトウェアを受信するように構成される通信モジュールをさらに備える、請求項１〜２０のうちいずれか一項に記載の眼鏡。
【請求項２２】
前記ユーザが前記眼鏡を着用しているかどうかを判断し、前記眼鏡が着用されていなければ低電力モードに入るように構成される、請求項１〜２１のうちいずれか一項に記載の眼鏡。
【請求項２３】
前記眼鏡が長時間にわたって着用されていなければ、超低電力モードに入るように構成される、請求項１〜２２のうちいずれか一項に記載の眼鏡。
【請求項２４】
前記コントローラは、一方のアーム内部に設置され、前記電池は、もう一方のアーム内部に設置される、請求項１９に記載の眼鏡。
【請求項２５】
前記処方された遠方視用レンズ部および前記近方視用部は、単焦点レンズまたは累進多焦点レンズの部分である、請求項１〜２４のうちいずれか一項に記載の眼鏡。
【請求項２６】
中間視用レンズ部をさらに備え、前記透明性可変システムは、前記処方された遠方視用レンズ部の少なくとも一部が実質的に不透明または非透明であり、前記中間視用レンズ部の少なくとも一部、および前記近方視用レンズ部が実質的にクリアまたは透明であり、前記近方視モードでは、前記中間視用レンズ部の少なくとも一部および前記処方された遠方視用レンズ部が実質的に不透明または非透明であり、前記近方視用レンズ部の少なくとも一部は実質的にクリアまたは透明な状態で、前記ユーザが中間視するモードでさらに構成される、請求項１〜２５のうちいずれか一項に記載の眼鏡。
【請求項２７】
前記透明性可変システムは、電気配線を備え、前記ノッチは、前記配線を収容するように構成されるより深い溝内に配線管をさらに備える、請求項９に記載の眼鏡。
【請求項２８】
前記フレームは、前記透明性可変素子用の一連の接点を、前記配線に電気的に接続し、取り外し可能なように圧着するように構成されるノーズブリッジをさらに備える、請求項２７に記載の眼鏡。
【請求項２９】
取り外し可能なノーズパッドを備え、該ノーズパッドは、前記ノーズブリッジによって取り外し可能なように圧着されるように構成される金属タブを有する、請求項２７に記載の眼鏡。
【請求項３０】
近視進行を遅らせるまたは近視を実質的に防止するように構成される眼鏡の製造方法であって：
外レンズをフレームに配設すること、
透明性可変素子を前記外レンズに隣接して配設すること、
１８歳未満の若年者に処方された内レンズを前記透明性可変素子に隣接して配設すること、および
前記透明性可変素子をコントローラに電気的に接続すること
を含む、方法。
【請求項３１】
方法であって：
１８歳未満の若年者であるユーザの近視および乱視の度数を測定すること、
前記近視および乱視の度数に基づいて、屈折力を有する遠方視用レンズ部を提供すること、
前記近視の度数に基づいて、前記ユーザの近視進行を遅らせるまたは近視を実質的に防止するように設計された屈折力を有する近方視用レンズ部を提供すること、ならびに
前記遠方視用レンズ部および／または前記近方視用レンズ部に隣接して透明性可変素子を提供すること
を含む、方法。
【請求項３２】
前記ユーザが近視であるかどうかを判断することをさらに含む、請求項３１に記載の方法。
【請求項３３】
方法であって：
処方された遠方視用レンズ部および近方視用レンズ部を備える眼鏡を提供し、前記近方視用レンズ部は、近視の度数に基づいて、１８歳未満の若年者の近視進行を遅らせるまたは近視を実質的に防止するように設計された屈折力を有すること、
前記遠方視用レンズ部を使用して遠方の物体を見ること、ならびに
前記近方視用レンズ部を使用して近方の物体を見ることであって、前記近方の物体を見る際は、前記遠方視用レンズ部は遮断されること
を含む、方法。
【請求項３４】
レンズの製造方法であって：
レンズ部をブランクへ取り付けること、
前記レンズ部および前記ブランクのエッジを傾斜させること、ならびに
前記レンズ部から前記ブランクを取り除くこと
を含む、方法。
【請求項３５】
前記レンズは、別のレンズ部をさらに備え、前記レンズ部および前記別のレンズ部は、共に並列し、それによって前記レンズを形成する、請求項３４に記載の方法。
【請求項３６】
傾斜エッジを有する第１のレンズ部、および
傾斜エッジを有する第２のレンズ部
を備えるレンズであって、
前記第１のレンズ部および前記第２のレンズ部は、共に並列し、それによって前記レンズを形成する、
レンズ。
【請求項３７】
前記第１のレンズ部は第１の面を有し、前記第２のレンズ部は第２の面を有し、前記第２の面は前記第１の面に対面し；前記第１の面および前記第２の面は、実質的に平坦である、請求項３６に記載のレンズ。
【請求項３８】
前記第１のレンズ部は、
二重焦点レンズ；または
多焦点レンズ
からなる群から選択される、請求項３６または３７に記載のレンズ。
【請求項３９】
前記第２のレンズ部は、処方された単焦点レンズである、請求項３８に記載のレンズ。
【請求項４０】
前記第１のレンズ部は、フロントレンズ部であり、前記第２のレンズ部は、バックレンズ部である、請求項３８または３９に記載のレンズ。
【国際調査報告】
2013541730.tif 000029
2013541730.tif 000030
2013541730.tif 000031
2013541730.tif 000032